(57)【特許請求の範囲】
【請求項１】
空気調和機本体に設けられ、空気を吸込んで吹出すファンと、前記空気調和機本体に設けられ空気の流れを導く通風路に脱着可能に取り付けられた脱着可能部品と、前記脱着可能部品の取り付け及び脱着の状態を検知する脱着状態検知部であるスイッチ本体と、前記脱着状態検知部であるスイッチ本体の情報に基づいてマイクロコンピュータ（以下マイコンと呼ぶ）によって制御される回転駆動部を備え、前記脱着状態検知部であるスイッチ本体のレバー部を上下させる持ち上げ板を設け、前記脱着可能部品の取り付けが検知されたら前記回転駆動部であるファン駆動モータ又は風向手段駆動モータの運転を開始し、所定の表示を行うことを特徴とする空気調和機。
【請求項２】
脱着可能部品の取り付け及び脱着の状態を検知する脱着状態検知部、この脱着状態検知部であるスイッチ本体のレバー部を上下させる持ち上げ板および前記スイッチの裏面にスペーサ設け、前記脱着可能部品の取り付けが検知され、前記回転駆動部は運転開始指示手段による運転開始指示まで停止のままとし、所定の表示を行うことを特徴とす請求項１記載の空気調和機。
【発明の詳細な説明】
【０００１】
【発明の属する技術分野】
この発明は商用電源を使用している電気機器に係り、特にその電気機器の保護装置並びに保護装置を用いた吹き出し口等を構成する部品の脱着が可能な空気調和機に関するものである。
【０００２】
【従来の技術】
図１１は、従来の空気調和機の上フラップを風向き変更装置から取り外す脱着方法説明図を示し、図において１は空気調和機本体で、パネル２にグリル２ａと、この本体の通風路に上フラップ３、下フラップ４が装着されている。前記上フラップ３は吹き出し口を閉鎖する位置であることを示している。図１２は上フラップ３とそれを支えるパネル２に固定される構造を含めた風向き変更装置５の図で、枠体に支持された上フラップ駆動軸５ａと一体の上フラップ３が回転して風向を変えることが出来る。風向き変更装置５の枠体に穴部５ｂが固定されており、この穴部へ上フラップ３の板状の部品が左端と中央部に２箇所スライドできるようにスライダー５ｃが設けられている。
【０００３】
この状態から図１３に示すごとく、中央のスライダー５ｃの軸部を穴部５ｂから右に弾性力に抗してスライドさせて穴と軸の掛かりをはずすとともに図１３（ａ）（ｂ）のごとく左端においてもスライダー５ｃの軸部を穴部５ｂから右にスライドさせて穴と軸の掛かりをはずす。これにより板状部材の左側への動きが自由になるため上フラップ３の板状部材全体を左に動かして、板状部材と枠体との右端結合部から軸の掛かりをはずすことが出来る。
【０００４】
同様な作業で二枚目の板状部材である下フラップ４を本体１から取り外すことができ、このフラップの水洗い等の清掃作業は外部で行え、出口側の汚れを除去できる。さらにパネル２の吹き出し口に設けられた風向き変更装置５がのぞかれて風路が開放され、空気調和機の内部の清掃も行える。
【０００５】
また、空気調和機の吸込みグリルの降下時に送風ファンを自動停止させメンテナンスの作業性と安全性の向上を図った技術が、特開平１１−１３２４９９号公報又は特開２０００−７４４５９号に開示されている。
【０００６】
【発明が解決しようとする課題】
従来の空気調和機においては、吹出口構成部品を取り外し、空気調和機の内部の清掃をする際に、回転駆動部である横流ファンモータ、上下フラップモータ、左右ベーンモータなどのような回転駆動部が電気的な接続で動作することによって作業者が安全に空気調和機内部の清掃ができないという問題点があった。
【０００７】
また、安全を確保するために主電源である高圧部の電圧をダイレクトにカットしても吹出口構成部品が取り外れているのか、装着されているのかが作業者自身が確認することが困難でわからないという問題点があった。
【０００８】
この発明による電気機器の保護装置は、上記問題点を解消すべく電気機器の破損を防止することを目的とする。
【０００９】
また、この発明による電気機器の保護方法は、回転物などの安全性を向上させることを目的とする。
【００１０】
また、この発明による空気調和機は、保護装置を安価に提供することを目的とする。
【００１１】
また、この発明による空気調和機は、製品のコストを低減させると共に、空気調和機内部の清掃作業を安全、かつ効率的に可能にさせることを目的とする。
【００１５】
【課題を解決するための手段】
この発明の空気調和機は、空気調和機本体に設けられ、空気を吸込んで吹出すファンと、前記空気調和機本体に設けられ空気の流れを導く通風路に脱着可能に取り付けられた脱着可能部品と、前記脱着可能部品の取り付け及び脱着の状態を検知する脱着状態検知部であるスイッチ本体と、前記脱着状態検知部であるスイッチ本体の情報に基づいてマイクロコンピュータ（以下マイコンと呼ぶ）によって制御される回転駆動部を備え、前記脱着状態検知部であるスイッチ本体のレバー部を上下させる持ち上げ板を設け、前記脱着可能部品の取り付けが検知されたら前記回転駆動部であるファン駆動モータ又は風向手段駆動モータの運転を開始し、所定の表示を行うものである。
【００１９】
また、この発明の空気調和機は、脱着可能部品の取り付け及び脱着の状態を検知する脱着状態検知部、この脱着状態検知部であるスイッチ本体のレバー部を上下させる持ち上げ板および前記スイッチの裏面にスペーサを設け、前記脱着可能部品の取り付けが検知され、前記回転駆動部は運転開始指示手段による運転開始指示まで停止のままとし、所定の表示を行うものである。
【００２３】
【発明の実施の形態】
実施の形態１．
以下に、この発明の実施の形態１による吹出し口を構成する部品の脱着可能な空気調和機説明する。図１は電気機器の保護装置を示すブロック図を示し、図２は図１の回路図、図３は制御フローチャート図を示す。６は吹出し口を構成する部品の脱着を検知する脱着状態検知部、７は吹出し口を構成する部品の脱着状態を検知する脱着状態検知部６からの情報に基づき回転駆動部を制御するマイコン、８はファンモータ９によって駆動されて、回転し吸い込んだ空気を吹き出す送風機であるファン（図示していない）を駆動するファン制御部、１０は風向手段駆動モータである上フラップモータ１１により駆動され、上下方向へ風向きを変える上フラップ（図示していない）を駆動する上フラップ制御部、５は前記風向手段駆動モータである他の左右ベーンモーター１３により回転し左右方向へ風向きを変える左右ベーン（図示していない）を駆動する左右ベーン制御部である。
【００２４】
次に、動作について図２に示す制御ブロック図により説明する。吹出し口を構成する部品の脱着状態を検知する脱着状態検知部６が、吹出し口を構成する部品の取り外しを検知し、マイコン７に入力する。マイコン７は、吹出し口を構成する部品の脱着状態を検知する脱着状態検知部６からの取り外し情報に基づき、回転駆動部の制御部である、ファン制御部８、上フラップ制御部１０、左右ベーン制御部１２への通電を停止する。これにより作業者は、安全に空気調和機内部の清掃を行うことが出来る。
【００２５】
次に、この実施の形態１の動作を図３の制御フローチャートに基づき説明する。ステップＳＴ１にて脱着状態検知部６が脱着可能部品の状態を検知しマイコンに入力する。ステップＳＴ２にてマイコン７は脱着可能部品の状態に基づき、脱着可能部品が取り付けられていると判断したときには、ステップＳＴ３ａにて、ファンモータ９への通電を開始、ステップＳＴ４ａにて、上フラップモータ１１への通電を開始、ステップＳＴ５ａにて、左右ベーンモータ１３への通電を開始する。ステップＳＴ２にて、脱着可能部品が取り外されていると判断された場合には、ステップＳＴ３ｂにて、ファンへの通電を停止、ステップＳＴ４ｂにて、上フラップモータ１１への通電を停止し、ステップＳＴ５ｂにて、左右ベーンモータ１３の通電を停止する。
【００２６】
実施の形態２．
以下、この発明の実施の形態２による吹出し口を構成する部品の脱着可能な空気調和機について説明する。図４、図５、図６、図７、図８、図９及び図１０を用いて詳細に説明する。図４（ａ）（ｂ）は空気調和機の斜視図、図５は部品の脱着状態を検知する脱着状態検知部であるスイッチの平面図、図６はスイッチの動作説明図。図７は部品の脱着可能な空気調和機の脱着検知スイッチ取り付け図を示す要部拡大斜視図、図８制御ブロック図、図９はその回路図、図１０は制御フローチャート図である。
【００２７】
図において、１は空気調和機本体で、パネル２にグリル２ａと、この本体の通風路に上フラップ３、下フラップ４が装着されている。前記上フラップ３は吹き出し口を閉鎖する位置であることを示している。５ａは枠体に支持された上フラップ駆動軸で、一体の上フラップ３が回転して風向を変えることが出来る。５ｂは穴部、５ｃはこの穴部にスライド挿入されるスライダー、６ａは吹き出し口を構成する部品の脱着を検知する低電圧電気信号を入切する前記実施の形態１で示した脱着状態検知部であるスイッチ本体で、低電圧電気信号を出す一対の固定ピン６ｂと、この固定ピンに接触させ導通させる可動片６ｃと、この可動片により常に固定ピン６ｂを導通状態に保持する前記可動片６ｃに取付けられたばね６ｄと、前記可動片６ｃを強制的に前記固定ピン６ｂから非導通状態にするレバー部６ｅとから構成されている。そして前記レバー部６ｅが倒され▲１▼の状態となっているときは、非導通、▲２▼の状態となっているときは導通となっている。
【００２８】
７は部品の脱着状態を検知する部品からの情報に基づき回転駆動部を制御するマイコン、８はファンモータ９によって駆動されて回転し吸い込んだ空気を吹き出す送風機であるファンを駆動するファン制御部、１０は風向手段駆動モータである上フラップモータ１１により駆動され、上下方向へ風向きを変える上フラップ３を駆動する上フラップ制御部、１２は同じく風向手段駆動モータである左右ベーンモーター１３により回転し左右方向へ風向きを変える左右ベーンを駆動する左右ベーン制御部である。１４は取り付け表示部１５ａ、取り外し表示部１５ｂを駆動する表示駆動部で、前記空気調和機本体１のパネル２に設けている。１５ｃは複数のクリーン状態を表示するモニタ表示部１、モニタ表示部２、モニタ表示部３、１５ｄは運転表示部である。１６は運転指示手段であるリモコン（図示されていない）の運転入／切信号が発信されるリモコン信号の信号受信部である。１７は前記スイッチ６ａのレバー部６ｅとスライダー５ｃとの間に位置して、前記レバー部を上下させる持ち上げ板である。１８はスペーサで、前記スイッチ６ａ裏面に設けられている。
【００２９】
上記記述の吹き出し口を構成する部品の脱着が可能な空気調和機においては、吹き出し口を構成する部品を取り外していく際には、上フラップ９を取り外さなければ他の部品は取り外すことの出来ない構造となっおり、図１１において空気調和機内部の清掃作業を行う際の各部品を取り外す順序は、空気調和機の構造的な組立構造から以下に述べる順序に従って取り外すことでないと空気調和機内部の清掃は不可能となる。まず、清掃作業者側から見て空気調和機本体１の手前側となる上フラップ３を１番最初に取り外す、次に、奥側の下フラップ４を取り外し最後に左右ベーンを取り外す順序となる。その際に吹き出し口を構成する部品の脱着を検知する低電圧電気信号を入切りするスイッチ６ａが取り外しを検知できる構造となっている。
【００３０】
また、空調機内部の清掃作業が終了し、吹き出し口を構成する部品の取り付けを行う際には、清掃作業者側から見て空気調和機本体１の手前側に位置する一番最後に取付けられる上フラップ３の取付けを低電圧で動作するスイッチ６ａで検知できる。上記記述の吹き出し口を構成する部品の脱着が可能な空気調和機においては、吹き出し口を構成する部品を取り付けていく際には、上フラップ３以外の部品を取り付けなければ上フラップ３を取り付けることの出来ない構造となっている。
【００３１】
また、図６と図７に基づき、スイッチが取り外され、スイッチが導通するまでの動作を説明する。図７は、上フラップ３等の脱着可能部品が取付けられている状態を示しており、この時、スイッチ６ａは、図６における▲１▼の状態となっており非導通となっている。脱着可能部品の中で一番最初に取り外される上フラップ３を取り外す際には、従来の技術のように、スライダー５ｃの軸部を穴部５ｂからスライドさせ穴と軸の掛かりをはずす。これにより、スライダー５ｃの軸部に接触していたレバー部６ｅを持ち上げ板１７が手前側に倒れ、スイッチ６ａが図１５における▲２▼の状態となり導通となる。
【００３２】
次に、図８に示すこの発明の実施の形態２によるブロック図の制御動作を説明する。吹き出し口を構成する部品の脱着を検知する低電圧電気信号を入切するスイッチ６ａが、吹き出し口を構成する部品の取り付け、取り外しを検知し、マイコン７に入力する。マイコン７は、吹き出し口を構成する部品の脱着を検知する脱着検知部で、スイッチ６ａからの取り付け、取り外し情報に基づき、回転駆動部の制御部である、ファン制御部８、上フラップ制御部１０、左右ベーン制御部１２への通電の開始／停止をすると共に、吹き出し口を構成する部品の取り付け、取り外しを表示部１５により表示する。また、作業者がリモコン（図示されていない）を操作し、リモコン受信部１６にリモコン信号が入力され運転が開始された場合には、通常に運転を再開する。これにより作業者は、より安全に空気調和機内部の清掃を行うことが出来る。
【００３３】
次に、この発明の実施の形態２による制御動作を図１０に示すフローチャート図に基づき説明する。始めに、ステップＳＴ６にて低電圧電気信号を入切りするスイッチ６ａが脱着可能部品の状態を検知しマイコン７に入力する。次にステップＳＴ７にてマイコン７は脱着可能部品の状態を判断する。そして、その判断に基づき、脱着可能部品が取り付けられていると判断したときにはステップＳＴ８ａにてファンモータへ９の通電を開始、ステップＳＴ９ａにて上フラップモータ１１への通電を開始、ステップＳＴ１０ａにて左右ベーンモータ１３への通電を開始する。そして、ステップＳＴ１１で吹き出し口を構成する部品の取り付けを表示部１５により表示し、ステップＳＴ１２にてリモコン受信待機状態となる。
【００３４】
また、ステップＳＴ７にて脱着可能部品が取り外されていると判断された場合には、ステップＳＴ８ｂにてファンへの通電を停止、ステップＳＴ９ｂにて上フラップモータ１１への通電を停止し、ステップＳＴ１０ｂにて左右ベーンモータ１３への通電を停止する。そして、取り外しを検知し回転駆動部への通電を停止した場合には、ステップＳＴ１１ｂにて取り外し表示を行う。
【００３５】
次に、この実施の形態２の表示部の動作は、図４（ａ）において、脱着可能部品が取り付けられている時、取り付け表示部１５ａが点灯し、取り外し表示部１５ｂは消灯、また、脱着可能部品が取り外されている時は、取り外し表示部が点灯し、取り付け表示部１５ａは消灯している。また、図４（ｂ）において、脱着可能部品が取り付けられている時、取り付け表示部をクリーン表示部１５ｃの表示部１、表示部２を点滅表示させる。さらに、脱着可能部品が取り外されている時、クリーン表示部１、表示部２、表示部３を同時に点滅させるものである。
【００３６】
ところで、上記実施の形態２は、取り外しを表示する表示部１５を設けたが、既存の表示部、例えば運転表示部１５ｄを用いて取り外しを表示することも可能である。また、取り外しを表示する表示部との兼用、表示を行わないことで作業者に取り付を知らせることも可能である。
【００４０】
【発明の効果】
この発明の空気調和機は、空気調和機本体に設けられ、空気を吸込んで吹出すファンと、前記空気調和機本体に設けられ空気の流れを導く通風路に脱着可能に取り付けられた脱着可能部品と、前記脱着可能部品の取り付け及び脱着の状態を検知する脱着状態検知部であるスイッチ本体と、前記脱着状態検知部であるスイッチ本体の情報に基づいてマイクロコンピュータ（以下マイコンと呼ぶ）によって制御される回転駆動部を備え、前記脱着状態検知部であるスイッチ本体のレバー部を上下させる持ち上げ板を設け、前記脱着可能部品の取り付けが検知されたら前記回転駆動部であるファン駆動モータ又は風向手段駆動モータの運転を開始し、所定の表示を行う構成としたから、吹出し口を構成する部品の脱着を検知する電気信号を入切りするスイッチが取付け取外しを検知でき、かつ視覚的に確認でき、回転物等電気機器の安全性を向上させ、効率的に清掃作業を遂行できる効果を有する。
【００４４】
また、この発明の空気調和機は、脱着可能部品の取り付け及び脱着の状態を検知する脱着状態検知部、この脱着状態検知部であるスイッチ本体のレバー部を上下させる持ち上げ板および前記スイッチの裏面にスペーサを設け、前記脱着可能部品の取り付けが検知され、前記回転駆動部は運転開始指示手段による運転開始指示まで停止のままとし、所定の表示を行う構成としたから、これにより作業者の要求による指示での運転再開が選択でき、清掃業者がスムーズにより安全に空気調和機内部の清掃を実行できる効果を有する。
【図面の簡単な説明】
【図１】この発明の実施の形態１における電気機器の保護装置の制御ブロック図である。
【図２】この発明の実施の形態１における電気機器の保護装置の制御回路図である。
【図３】この発明の実施の形態１における電気機器の保護装置の制御フローチャートである。
【図４】この発明の実施の形態２におけ空気調和機を示す外観斜視図である。
【図５】この発明の実施の形態２における空気調和機の要部を示す平面図である。
【図６】この発明の実施の形態２における空気調和機の要部であるスイッチの動作説明図である。
【図７】この発明の実施の形態２における空気調和機の要部を示す拡大斜視図である。
【図８】この発明の実施の形態２における空気調和機の制御ブロック図である。
【図９】この発明の実施の形態２における空気調和機の制御回路図である。
【図１０】この発明の実施の形態２における空気調和機の制御フローチャートである。
【図１１】従来の空気調和機を示す外観斜視図である。
【図１２】従来の空気調和機の要部を示す拡大斜視図である。
【図１３】従来の空気調和機の要部を示す動作説明図である。
【符号の説明】
１  空気調和機、２  パネル、３  上フラップ、４  下フラップ、６  脱着検知部、６ａ  スイッチ、６ｂ  固定ピン、６ｃ  可動ピン、６ｄ  バネ、６ｅ  レバー部、７  マイコン、８  ファン制御部、９  ファンモータ、１０  上フラップ制御部、１１  上フラップモータ、１２  左右ベーン制御部、１３  左右ベーンモータ、１４  表示駆動部、１５  表示部、１５ａ  取り付け表示部、１５ｂ  取り外し表示部、１５ｃ  クリーン表示部、１５ｄ  運転表示部、１６  リモコン信号受信部、１７  持ち上げ板、１８  スペーサ。
【図１】
0003617431.tif 000002
【図２】
0003617431.tif 000003
【図３】
0003617431.tif 000004
【図４】
0003617431.tif 000005
【図５】
0003617431.tif 000006
【図６】
0003617431.tif 000007
【図７】
0003617431.tif 000008
【図８】
0003617431.tif 000009
【図９】
0003617431.tif 000010
【図１０】
0003617431.tif 000011
【図１１】
0003617431.tif 000012
【図１２】
0003617431.tif 000013
【図１３】
0003617431.tif 000014